(57)【要約】【課題】熱交換器から流出する燃焼ガスの流れ方向を変えざるを得ない場合であっても、燃焼ガスに対する排気抵抗を低減することができる温水暖房装置を提供する。【解決手段】本発明の一態様に係る温水暖房装置は、熱交換器と、排気集合筒と、シスターンとを備える。熱交換器は、熱交換部と、内部に熱交換部を収納する筐体とを有する。筐体は、第１側壁と、第２側壁と、第１開口が設けられた第１上壁と、第１上壁と熱交換部との間に配置された仕切壁とを含む。排気集合筒は、第１方向において互いに対向する第５側壁及び第６側壁を含み、流路が内部に設けられた本体部と、第１開口と流路とを接続する導入部とを有する。燃焼ガスは、第１上壁と仕切壁との間を第１方向に沿って第１開口に向かう。第１方向において、第１側壁側に位置する第１開口の縁と第５側壁との間の距離は、第２側壁側に位置する第１開口の縁と第６側壁との間の距離よりも大きい。【選択図】図２
2019174066.tif 000002
【特許請求の範囲】
【請求項１】
燃焼ガスとの間で熱交換を行う熱交換部と、内部に前記熱交換部を収納し、かつ第１側壁と、前記第１側壁と対向する第２側壁と、第１開口が設けられ、前記第１側壁及び前記第２側壁に連なる第１上壁と、前記第１上壁と前記熱交換部との間に配置された仕切壁とを含む筐体とを有する熱交換器と、
前記第１側壁から前記第２側壁に向かう第１方向において互いに対向する第５側壁及び第６側壁を含み、かつ前記第５側壁及び前記第６側壁によって画される流路が内部に設けられた本体部と、前記第１開口と前記流路とを接続する導入部とを有する排気集合筒とを備え、
前記第１方向における前記第５側壁と前記第６側壁との間の距離は、前記第１方向における前記第１開口の幅よりも小さく、
前記第１方向における前記導入部の幅は、前記第１方向における前記第１開口の幅よりも大きく、
前記熱交換部を通過した前記燃焼ガスは、前記筐体内において上方に向かって折り返されるとともに、前記第１上壁と前記仕切壁との間を前記第１方向に沿って前記第１開口に向かい、
前記第１開口を通過した前記燃焼ガスは、前記導入部を介して前記本体部に流入するとともに、前記本体部において流れの方向を変え、
前記第５側壁は、前記第６側壁よりも前記第１側壁側にあり、かつ前記第１側壁側に位置する前記第１開口の縁と前記第６側壁との間にあり、
前記第１方向における前記第１側壁側に位置する前記第１開口の縁と前記第５側壁との間の距離は、前記第１方向における前記第２側壁側に位置する前記第１開口の縁と前記第６側壁との間の距離よりも大きい、温水暖房装置。
【請求項２】
シスターンをさらに備え、
前記筐体は、前記第１側壁及び前記第２側壁に連なる第３側壁と、前記第３側壁と対向し、前記第１側壁及び前記第２側壁に連なる第４側壁とをさらに有し、
前記シスターンは、第１部分と、前記第３側壁から前記第４側壁に向かう第２方向に沿って前記第１部分から延在する第２部分と、前記第２方向に沿って前記第１部分から延在し、かつ前記第１方向において前記第２部分と離間して配置される第３部分とを有し、前記本体部が前記第２部分と前記第３部分との間に位置するように前記排気集合筒に取り付けられる、請求項１に記載の温水暖房装置。
【請求項３】
前記第１上壁は、前記第２側壁側から前記第１側壁側に向かうにしたがって下方に傾斜しており、
前記導入部は、前記第１方向において互いに対向する第７側壁及び第８側壁を含み、
前記第７側壁は、前記第８側壁よりも前記第１側壁側にあり、
前記第７側壁の高さは、前記第８側壁の高さよりも大きい、請求項２に記載の温水暖房装置。
【請求項４】
前記本体部は、前記第２方向において、第１端と、前記第１端の反対側の端である第２端とを有し、
前記流路の断面積は、前記第１端側から前記第２端側に向かって大きくなり、
前記熱交換部は、給湯用熱交換部と、暖房用熱交換部とを含み、
前記給湯用熱交換部の前記第２方向における幅は、前記暖房用熱交換部の前記第２方向における幅よりも大きく、
前記給湯用熱交換部は、前記第２方向において、前記暖房用熱交換部よりも前記第２端に近い位置に配置される、請求項２又は３に記載の温水暖房装置。
【請求項５】
前記第２端に取り付けられ、かつ前記第２部分及び前記第３部分の少なくとも一方が当接するフランジをさらに備える、請求項４に記載の温水暖房装置。
【発明の詳細な説明】
【技術分野】
【０００１】
本発明は、温水暖房装置に関する。
【背景技術】
【０００２】
従来から、例えば特開２０１０−１３９１３０号公報（特許文献１）に記載の温水暖房装置が知られている。特許文献１に記載の温水暖房装置は、ケーシングと、熱交換器と、シスターンと、排気筒とを有している。熱交換器、シスターン及び排気筒は、ケーシング内に収納されている。
【０００３】
シスターンに貯留されている水は、配管を介して熱交換器に送られる。熱交換器に送られた水は、燃焼ガスとの間で熱交換を行うことにより、昇温される。昇温された水は、暖房放熱器に送られることにより、暖房動作を行う。熱交換器において熱交換を行った燃焼ガスは、排気筒を介してケーシングの外部へと排出される。
【先行技術文献】
【特許文献】
【０００４】
【特許文献１】特開２０１０−１３９１３０号公報
【発明の概要】
【発明が解決しようとする課題】
【０００５】
しかしながら、特許文献１に記載の温水暖房装置においては、ケーシング内における熱交換器、シスターン及び排気筒の具体的な配置に関して、特段の言及がなされていない。ケーシング内における熱交換器及びシスターンの配置によっては、排気筒を配置する位置や排気筒の形状が制限され、燃焼ガスが排気筒を通過する際の排気抵抗が大きくなる場合がある。
【０００６】
本発明は、上記のような従来技術の問題点に鑑みてなされたものである。より具体的には、本発明は、燃焼ガスの排気のために熱交換器から流出する燃焼ガスの流れ方向を変えざるを得ない場合であっても、燃焼ガスに対する排気抵抗を低減することができる温水暖房装置を提供する。
【課題を解決するための手段】
【０００７】
本発明の一態様に係る温水暖房装置は、熱交換器と、排気集合筒とを備える。熱交換器は、燃焼ガスとの間で熱交換を行う熱交換部と、内部に熱交換部を収納する筐体とを有する。筐体は、第１側壁と、第１側壁と対向する第２側壁と、第１開口が設けられ、第１側壁及び第２側壁に連なる第１上壁と、第１上壁と熱交換部との間に配置された仕切壁とを含む。
【０００８】
排気集合筒は、第１側壁から第２側壁に向かう第１方向において互いに対向する第５側壁及び第６側壁を含み、第５側壁及び第６側壁によって画される流路が内部に設けられた本体部と、第１開口と流路とを接続する導入部とを有する。第１方向における第５側壁と第６側壁との間の距離は、第１方向における第１開口の幅よりも小さい。第１方向における導入部の幅は、第１方向における第１開口の幅よりも大きい。
【０００９】
熱交換部を通過した燃焼ガスは、筐体内において上方に向かって折り返されるとともに、第１上壁と仕切壁との間を第１方向に沿って第１開口に向かう。第１開口を通過した燃焼ガスは、導入部を介して本体部に流入するとともに、本体部において流れの方向を変える。第５側壁は、第６側壁よりも第１側壁側にあり、かつ第１側壁側に位置する第１開口の縁と第６側壁との間にある。第１方向における第１側壁側に位置する第１開口の縁と第５側壁との間の距離は、第１方向における第２側壁側に位置する第１開口の縁と第６側壁との間の距離よりも大きい。
【００１０】
本発明の一態様に係る温水暖房装置においては、仕切壁により、熱交換部と熱交換を行った燃焼ガスが、第１方向に沿って第１開口に達する。他方で、第５側壁及び第６側壁が第１方向において互いに対向しているため、燃焼ガスは、本体部の流路内において、第１方向と交差する方向に沿って流れる。しかしながら、本発明の一態様に係る温水暖房装置においては、第５側壁と第１側壁側にある第１開口の縁との距離は第６側壁と第２側壁側にある第１開口の縁との距離よりも大きくなっているため、第１方向に沿って流れていた燃焼ガスは、相対的に緩やかに方向を変えられて流路を流れるようになる。そのため、本発明の一態様に係る温水暖房装置においては、熱交換器から流出する燃焼ガスの流れ方向を排気のために変えざるを得ない場合であっても、燃焼ガスに対する排気抵抗を低減することができる。
【００１１】
上記の温水暖房装置は、シスターンをさらに備えていてもよい。筐体は、第１側壁及び第２側壁に連なる第３側壁と、第３側壁と対向し、第１側壁及び第２側壁に連なる第４側壁とをさらに有していてもよい。シスターンは、第１部分と、第３側壁から第４側壁に向かう第２方向に沿って第１部分から延在する第２部分と、第２方向に沿って第１部分から延在し、かつ第１方向において第２部分と離間して配置される第３部分とを有していてもよい。シスターンは、本体部が第２部分と第３部分との間に位置するように排気集合筒に取り付けられていてもよい。
【００１２】
上記の温水暖房装置において、第１上壁は、第２側壁側から第１側壁側に向かうにしたがって下方に傾斜していてもよい。導入部は、第１方向において互いに対向する第７側壁及び第８側壁を含んでいてもよい。第７側壁は、第８側壁よりも第１側壁側にある。第７側壁の高さは、第８側壁の高さより大きくてもよい。
【００１３】
この場合には、導入部の内部空間を相対的に大きく確保することができる。そのため、この場合には、燃焼ガスに対する排気抵抗をさらに低減することができる。
【００１４】
上記の温水暖房装置において、本体部は、第２方向において、第１端と、第１端の反対側の端である第２端とを有していてもよい。流路の断面積は、第１端側から第２端側に向かって大きくなっていてもよい。熱交換部は、給湯用熱交換部と、暖房用熱交換部とを含んでいてもよい。給湯用熱交換部の第２方向における幅は、暖房用熱交換部の第２方向における幅より大きくてもよい。給湯用熱交換部は、第２方向において暖房用熱交換部よりも第２端に近い位置に配置されていてもよい。
【００１５】
この場合には、流路の断面積が、第１端から第２端へ向かって大きくなっているため、第２端側に位置する熱交換部と熱交換を行った燃焼ガスに対する排気抵抗が相対的に小さくなる。そのため、第２方向における幅が相対的に大きい給湯用熱交換部を第２端に近い位置に配置することにより、燃焼ガスに対する排気抵抗をさらに低減することができる。
【００１６】
上記の温水暖房装置は、第２端に取り付けられ、かつ第２部分及び第３部分の少なくとも一方が当接するフランジをさらに備えていてもよい。
【００１７】
この場合、フランジを排気筒の取り付けのみならず、シスターン１の位置合わせにも用いることができるため、温水暖房装置の組立性を改善することができる。
【発明の効果】
【００１８】
本発明の一態様に係る温水暖房装置によると、燃焼ガスに対する排気抵抗を低減することができる。
【図面の簡単な説明】
【００１９】
【図１】実施形態に係る温水暖房装置の模式図である。
【図２】筐体１０の斜視図である。
【図３】二次熱交換器２２の斜視図である。
【図４】二次熱交換器２２の平面図である。
【図５】図４のＶ−Ｖにおける模式的な断面図である。
【図６】仕切壁２２ｊを非表示とした二次熱交換器２２の平面図である。
【図７】燃焼ユニット２の斜視図である。
【図８】燃焼ユニット２の平面図である。
【図９】図８のＩＸ−ＩＸにおける模式的な断面図である。
【図１０】図８のＸ−Ｘにおける模式的な断面図である。
【図１１】シスターン１の平面図である。
【図１２】シスターン１の側面図である。
【図１３】シスターン１の底面図である。
【図１４】シスターン１が取り付けられた状態の燃焼ユニット２の斜視図である。
【発明を実施するための形態】
【００２０】
本発明の実施形態の詳細を、図面を参照して説明する。以下の図面においては、同一又は相当する部分に同一の参照符号を付し、重複する説明は繰り返さない。
【００２１】
（実施形態に係る温水暖房装置の構成）
以下に、実施形態に係る温水暖房装置の構成を説明する。
【００２２】
まず、実施形態に係る温水暖房装置の概略構成を説明する。図１に示されるように、実施形態に係る温水暖房装置は、シスターン１と、燃焼ユニット２と、循環回路３と、給湯回路４と、補水配管５と、ドレイン配管６と、筐体１０とを有している。なお、シスターン１、燃焼ユニット２、循環回路３、給湯回路４、補水配管５及びドレイン配管６は、筐体１０内に収納されている。
【００２３】
燃焼ユニット２は、一次熱交換器２１と、二次熱交換器２２と、バーナ２３と、排気部２４（図１中において図示せず）とを有している。一次熱交換器２１は、給湯用熱交換部２１ａと、暖房用熱交換部２１ｂとを有している。二次熱交換器２２は、給湯用熱交換部２２ａと、暖房用熱交換部２２ｂとを有している。
【００２４】
循環回路３は、配管３ａと、配管３ｂと、配管３ｃと、配管３ｄと、配管３ｅと、配管３ｆと、ポンプ３ｇとを有している。
【００２５】
配管３ａの一方端は、シスターン１に接続されている。配管３ａの他方端は、配管３ｂの一方端及び配管３ｃの一方端に接続されている。配管３ｂの他方端は、低温暖房端末７ａに接続されている。配管３ｃの他方端は、暖房用熱交換部２１ｂに接続されている。配管３ｄの一方端は、暖房用熱交換部２１ｂに接続されている。配管３ｄの他方端は、高温暖房端末７ｂに接続されている。
【００２６】
配管３ｅは、一方端において分岐している。一方端において分岐している配管３ｅの一方は、低温暖房端末７ａに接続されている。一方端において分岐している配管３ｅの他方は、高温暖房端末７ｂに接続されている。配管３ｅの他方端は、暖房用熱交換部２２ｂに接続されている。配管３ｆの一方端は、暖房用熱交換部２２ｂに接続されている。配管３ｆの他方端は、シスターン１に接続されている。ポンプ３ｇは、配管３ａの経路上に配置されている。ポンプ３ｇは、シスターン１に貯留されている水を、循環回路３内において図１中の矢印の方向に循環させる。
【００２７】
給湯回路４は、配管４ａと、配管４ｂとを有している。配管４ａの一方端は、上水道に接続されている。配管４ａの他方端は、給湯用熱交換部２２ａに接続されている。給湯用熱交換部２２ａは、給湯用熱交換部２１ａに接続されている。配管４ｂの一方端は、給湯用熱交換部２１ａに接続されている。配管４ｂの他方端は、カラン等に接続されている。
【００２８】
補水配管５の一方端は、シスターン１に接続されている。補水配管の他方端は、上水道に接続されている。ドレイン配管６は、シスターン１に接続されている。
【００２９】
シスターン１に貯留されている水は、配管３ａ及び配管３ｃを介して、暖房用熱交換部２１ｂに供給される。暖房用熱交換部２１ｂに供給された水は、バーナ２３からの燃焼ガスとの間で熱交換を行うことにより、昇温される。
【００３０】
暖房用熱交換部２１ｂを通過した水は、配管３ｄを介して高温暖房端末７ｂに供給される。高温暖房端末７ｂに供給された水は、暖房動作を行うことにより温度が低下する。高温暖房端末７ｂを通過した水は、配管３ｅを介して暖房用熱交換部２２ｂに供給される。
【００３１】
暖房用熱交換部２２ｂに供給された水は、バーナ２３からの燃焼ガスとの間で熱交換を行うことにより、再び昇温される。暖房用熱交換部２２ｂを通過した水は、配管３ｆを介してシスターン１に戻る。
【００３２】
シスターン１に貯留されている水は、配管３ａ及び配管３ｂを介して、低温暖房端末７ａに供給される。低温暖房端末７ａに供給された水は、暖房動作を行うことにより温度が低下する。低温暖房端末７ａを通過した水は、配管３ｅ、暖房用熱交換部２２ｂ及び配管３ｆを介してシスターン１に戻る。
【００３３】
シスターン１に貯留されている水の水位が所定以下である場合には、補水配管５を介してシスターン１に水が供給される。シスターン１に貯留されている水が過剰となった場合には、シスターン１に貯留されている水は、ドレイン配管６を介して外部に排出される。
【００３４】
上水は、配管４ａを介して、給湯用熱交換部２２ａ及び給湯用熱交換部２１ａに供給される。給湯用熱交換部２２ａ及び給湯用熱交換部２１ａに供給された上水は、バーナ２３からの燃焼ガスとの間で熱交換を行うことにより、昇温される。給湯用熱交換部２２ａ及び給湯用熱交換部２１ａを通過した上水は、配管４ｂを介してカラン等から給湯される。
【００３５】
次に、実施形態に係る温水暖房装置の各構成要素の詳細な構成を説明する。図２に示されるように、筐体１０は、上壁１０ａと、底壁１０ｂと、側壁１０ｃと、側壁１０ｄと、側壁１０ｅと、側壁１０ｆとを有している。上壁１０ａと底壁１０ｂとは、互いに対向している。側壁１０ｃと側壁１０ｅとは、互いに対向している。側壁１０ｄと側壁１０ｆとは、互いに対向している。側壁１０ｃは側壁１０ｄ及び側壁１０ｆに連なっており、側壁１０ｅは側壁１０ｄ及び側壁１０ｆに連なっている。
【００３６】
上壁１０ａは、側壁１０ｃ、側壁１０ｄ、側壁１０ｅ及び側壁１０ｆの上端側に連なっている。底壁１０ｂは、側壁１０ｃ、側壁１０ｄ、側壁１０ｅ及び側壁１０ｆの下端側に連なっている。側壁１０ｃには、排気口１０ｃａが設けられている。排気口１０ｃａは、側壁１０ｃを厚さ方向に貫通している。
【００３７】
図３〜図５に示されるように、二次熱交換器２２は、筐体２２ｃを有している。筐体２２ｃの内部には、暖房用熱交換部２２ｂ及び給湯用熱交換部２２ａが収納されている。
【００３８】
筐体２２ｃは、上壁２２ｄと、底壁２２ｅと、側壁２２ｆ（第１側壁）と、側壁２２ｇ（第３側壁）と、側壁２２ｈ（第２側壁）と、側壁２２ｉ（第４側壁）と、仕切壁２２ｊとを有している。上壁２２ｄと底壁２２ｅとは、互いに対向している。側壁２２ｆと側壁２２ｈとは互いに対向している。側壁２２ｇと側壁２２ｉとは、互いに対向している。以下においては、側壁２２ｆから側壁２２ｈに向かう方向を第１方向ＤＲ１といい、側壁２２ｇから側壁２２ｉに向かう方向をＤＲ２という。第１方向ＤＲ１は、第２方向ＤＲ２と交差している。第１方向ＤＲ１は、第２方向ＤＲ２と直交していることが好ましい。
【００３９】
上壁２２ｄは、側壁２２ｆ、側壁２２ｇ、側壁２２ｈ及び側壁２２ｉの上端側に連なっている。底壁２２ｅは、側壁２２ｆ、側壁２２ｇ、側壁２２ｈ及び側壁２２ｉの下端側に連なっている。側壁２２ｆは側壁２２ｇ及び側壁２２ｉに連なっており、側壁２２ｈは側壁２２ｇ及び側壁２２ｉに連なっている。好ましくは、上壁２２ｄは、側壁２２ｈ側から側壁２２ｆ側に向かうにしたがって下方に傾斜している。
【００４０】
側壁２２ｈには、開口２２ｈａが設けられている。開口２２ｈａは、側壁２２ｈを厚さ方向に貫通している。開口２２ｈａからは、筐体２２ｃ内に燃焼ガスが供給される。上壁２２ｄには、開口２２ｄａが設けられている。開口２２ｄａは、上壁２２ｄを厚さ方向に貫通している。燃焼ガスは、開口２２ｄａを介して、筐体２２ｃの外部に排出される。
【００４１】
仕切壁２２ｊは、暖房用熱交換部２２ｂ及び給湯用熱交換部２２ａと熱交換を行った燃焼ガスが、筐体２２ｃ内で上方に向かって折り返されるとともに、第１方向ＤＲ１に沿って上壁２２ｄと仕切壁２２ｊとの間を通って開口２２ｄａに向かうように、暖房用熱交換部２２ｂ及び給湯用熱交換部２２ａと上壁２２ｄとの間に配置されている（燃焼ガスの流れは、図５中において矢印で示されている）。より具体的には、仕切壁２２ｊの側壁２２ｆ側の端は側壁２２ｆと離間している一方で、仕切壁２２ｊの側壁２２ｈ側の端は、例えば、側壁２２ｈ側に位置する開口２２ｄａの縁と側壁２２ｈとの間にある上壁２２ｄに接続されている。
【００４２】
図６に示されるように、給湯用熱交換部２２ａの第２方向ＤＲ２における幅は、暖房用熱交換部２２ｂの第２方向ＤＲ２における幅よりも大きくなっている。
【００４３】
図７〜図１０（図７〜図１０中において、一次熱交換器２１及びバーナ２３の図示は省略されている）に示されるように、排気部２４は、排気集合筒２５と、フランジ２６と、排気筒２７とを有している。
【００４４】
排気集合筒２５は、導入部２５ａと、本体部２５ｂとを有している。導入部２５ａは、上壁２５ａａと、側壁２５ａｂ（第７側壁）と、側壁２５ａｃと、側壁２５ａｄ（第８側壁）と、側壁２５ａｅとを有している。上壁２５ａａには、開口２５ａｆが設けられている。開口２５ａｆは、上壁２５ａａを厚さ方向に貫通している。側壁２５ａｂの高さは、好ましくは、側壁２５ａｄの高さよりも大きい。
【００４５】
側壁２５ａｂ及び側壁２５ａｄは、第１方向ＤＲ１において互いに対向している。側壁２５ａｃ及び側壁２５ａｅは、第２方向ＤＲ２において互いに対向している。側壁２５ａｂは側壁２５ａｃ及び側壁２５ａｅに連なっており、側壁２５ａｄは側壁２５ａｃ及び側壁２５ａｅに連なっている。上壁２５ａａは、側壁２５ａｂ、側壁２５ａｃ、側壁２５ａｄ及び側壁２５ａｅの上端側に連なっている。
【００４６】
導入部２５ａは、二次熱交換器２２に接続されている。より具体的には、導入部２５ａは、側壁２５ａｂ、側壁２５ａｃ、側壁２５ａｄ及び側壁２５ａｅの下端側において、上壁２２ｄに接続されている。
【００４７】
側壁２５ａｂは、側壁２５ａｄよりも側壁２２ｆ側にある。すなわち、第１方向ＤＲ１における側壁２２ｆと側壁２５ａｂとの間の距離は、第１方向ＤＲ１における側壁２２ｆと側壁２５ａｄとの間の距離よりも小さい。
【００４８】
側壁２５ａｂは、第１方向ＤＲ１において、開口２２ｄａの側壁２２ｆ側の縁と側壁２２ｆとの間に位置している。側壁２５ａｄは、第１方向ＤＲ１において、開口２２ｄａの側壁２２ｈ側の縁と側壁２２ｈとの間に位置している。すなわち、導入部２５ａの第１方向ＤＲ１における幅は、開口２２ｄａの第１方向ＤＲ１における幅よりも大きくなっている。側壁２５ａｃは、第２方向ＤＲ２において、開口２２ｄａの側壁２２ｇ側の縁と側壁２２ｇとの間に位置している。側壁２５ａｅは、第２方向ＤＲ２において、開口２２ｄａの側壁２２ｉ側の縁と側壁２２ｉとの間に位置している。すなわち、導入部２５ａの第２方向ＤＲ２における幅は、開口２２ｄａの第２方向ＤＲ２における幅よりも大きくなっている。このように、開口２２ｄａは、上壁２５ａａ、側壁２５ａｂ、側壁２５ａｃ、側壁２５ａｄ及び側壁２５ａｅで画される導入部２５ａの内部空間に接続されている。
【００４９】
開口２５ａｆは、後述する流路２５ｂｆに接続されている。そのため、開口２２ｄａを通過した燃焼ガスは、上壁２５ａａ、側壁２５ａｂ、側壁２５ａｃ、側壁２５ａｄ及び側壁２５ａｅにより画される導入部２５ａ内の空間を介して流路２５ｂｆへと流れる。
【００５０】
本体部２５ｂは、上壁２５ｂａと、側壁２５ｂｂ（第５側壁）と、側壁２５ｂｃ（第６側壁）とを有している。側壁２５ｂｂ及び側壁２５ｂｃは、第１方向ＤＲ１において、互いに対向している。好ましくは、側壁２５ｂｂ及び側壁２５ｂｃは、第１方向ＤＲ１に直交している。上壁２５ｂａは、側壁２５ｂｂ及び側壁２５ｂｃの上端側に連なっている。
【００５１】
本体部２５ｂは、第２方向ＤＲ２において、第１端２５ｂｄと、第２端２５ｂｅとを有している。第２端２５ｂｅは、第１端２５ｂｄの反対側の端である。給湯用熱交換部２２ａは、第２方向ＤＲ２において、暖房用熱交換部２２ｂよりも第２端２５ｂｅに近い位置に配置されている。このことを別の観点からいえば、第１端２５ｂｄは、暖房用熱交換部２２ｂ側に位置する本体部２５ｂの端であり、第２端２５ｂｅは、給湯用熱交換部２２ａ側に位置する本体部２５ｂの端である。
【００５２】
側壁２５ｂｂは、第１端２５ｂｄ側から第２端２５ｂｅ側に向かうにしたがって高さが大きくなっている。側壁２５ｂｃは、第１端２５ｂｄ側から第２端２５ｂｅ側に向かうにしたがって高さが大きくなっている。
【００５３】
本体部２５ｂは、導入部２５ａに接続されている。より具体的には、本体部２５ｂは、上壁２５ｂａ、側壁２５ｂｂ及び側壁２５ｂｃの下端側において、上壁２５ａａに接続されている。
【００５４】
本体部２５ｂの内部には、流路２５ｂｆが設けられている。流路２５ｂｆは、上壁２５ｂａと、側壁２５ｂｂと、側壁２５ｂｃとにより画されている。流路２５ｂｆは、開口２５ａｆと接続されている。上記のとおり、側壁２５ｂｂ及び側壁２５ｂｃは、第１方向ＤＲ１において互いに対向しているため、開口２５ａｆを通過した燃焼ガスは、第１方向ＤＲ１と交差する方向（第２方向ＤＲ２）に沿って、第１端２５ｂｄ側から第２端２５ｂｅ側へと流路２５ｂｆ内を流れる（図１０中の矢印参照）。
【００５５】
上記のとおり、側壁２５ｂｂ及び側壁２５ｂｃは、第１端２５ｂｄ側から第２端２５ｂｅ側に向かうにしたがって高さが大きくなっているため、流路２５ｂｆの断面積は、第１端２５ｂｄ側から第２端２５ｂｅ側に向かうにしたがって大きくなっている。
【００５６】
側壁２５ｂｂは、側壁２５ｂｃよりも側壁２２ｆ側にある。すなわち、第１方向ＤＲ１における側壁２５ｂｂと側壁２２ｆとの間の距離は、第１方向ＤＲ１における側壁２５ｂｃと側壁２２ｆとの間の距離よりも小さい。
【００５７】
第１方向ＤＲ１における側壁２５ｂｂと開口２２ｄａの側壁２２ｆ側の縁との距離は、第１方向ＤＲ１における側壁２５ｂｃと開口２２ｄａの側壁２２ｈ側の縁との距離よりも大きくなっている。
【００５８】
開口２２ｄａの側壁２２ｆ側の縁は、側壁２５ｂｂと側壁２２ｆとの間にある。側壁２５ｂｂは、開口２２ｄａの側壁２２ｆ側の縁と側壁２５ｂｃとの間にある。開口２２ｄａの側壁２２ｈ側の縁は、側壁２５ｂｃと側壁２２ｈとの間にある。側壁２５ｂｃは、開口２２ｄａの側壁２２ｈ側の縁と側壁２５ｂｂとの間にある。すなわち、本体部２５ｂは、開口２２ｄａの上方に位置している。第１方向ＤＲ１における側壁２５ｂｂと側壁２５ｂｃとの間の距離は、第１方向ＤＲ１における開口２２ｄａの幅よりも小さい。
【００５９】
第１方向ＤＲ１における本体部２５ｂの幅は、第１方向ＤＲ１における導入部２５ａの幅よりも狭くなっている。すなわち、側壁２５ｂｂと側壁２５ｂｃとの間の距離は、側壁２５ａｂと側壁２５ａｄとの間の距離よりも短くなっている。
【００６０】
フランジ２６は、第２端２５ｂｅに設けられている。フランジ２６は、第２方向ＤＲ２に交差する面内において、第２端２５ｂｅに位置する上壁２５ｂａ、側壁２５ｂｂ及び側壁２５ｂｃから張り出している。
【００６１】
排気筒２７は、円筒形状を有している。排気筒２７は、一方端において、フランジ２６を介して本体部２５ｂの第２端２５ｂｅに接続されている。排気筒２７は、他方端において、排気口１０ｃａに接続されている。流路２５ｂｆを流れる燃焼ガスは、排気筒２７を介して、筐体１０の外部へと排出される。
【００６２】
図１１〜図１３に示されるように、シスターン１は、上面１ａと、底面１ｂと、側面１ｃとを有している。シスターン１は、第１部分１ｄと、第２部分１ｅと、第３部分１ｆとを有している。シスターン１は、補水口１ｇと、排出口１ｈと、接続口１ｉ及び接続口１ｊとを有している。補水口１ｇ、排出口１ｈ、接続口１ｉ及び接続口１ｊは、シスターン１の内部と連通している。
【００６３】
第２部分１ｅ及び第３部分１ｆは、第２方向ＤＲ２に沿って第１部分１ｄから延在している。第２部分１ｅは、第１方向ＤＲ１において、第３部分１ｆから離間して配置されている。すなわち、シスターン１は、平面視においてコの字型の形状を有している。
【００６４】
補水口１ｇ及び排出口１ｈは、第２方向ＤＲ２におけるシスターン１の第１端部に配置されている。補水口１ｇは、第２部分１ｅに位置する側面１ｃに配置されていることが好ましい。排出口１ｈは、第３部分１ｆに位置する底面１ｂに配置されている。
【００６５】
接続口１ｉ及び接続口１ｊは、第２方向ＤＲ２におけるシスターン１の第２端部に配置される。第２端部は、第１端部とは反対側に位置するシスターン１の端部である。接続口１ｉ及び接続口１ｊは、第１部分１ｄに位置している底面１ｂに配置されていることが好ましい。
【００６６】
補水口１ｇは補水配管５に接続され、排出口１ｈはドレイン配管６に接続される。接続口１ｉは配管３ａに接続され、接続口１ｊは配管３ｆに接続される。
【００６７】
シスターン１は、幅Ｗ１と、幅Ｗ２と、高さＨとを有している。幅Ｗ１は、第１方向ＤＲ１におけるシスターン１の幅である。幅Ｗ２は、第２方向ＤＲ２におけるシスターン１の幅である。高さＨは、上面１ａと底面１ｂとの間の距離の最大値である。高さＨは、幅Ｗ１及び幅Ｗ２よりも小さいことが好ましい。
【００６８】
図１４（なお、図１４中において、一次熱交換器２１及びバーナ２３の図示は省略されている）に示されるように、シスターン１は、燃焼ユニット２に取り付けられている。より具体的には、シスターン１は、本体部２５ｂが第２部分１ｅと第３部分１ｆとの間に位置するように排気集合筒２５に取り付けられている。
【００６９】
シスターン１が燃焼ユニット２に取り付けられた状態において、第２部分１ｅ及び第３部分１ｆの少なくとも一方は、フランジ２６に当接していることが好ましい。
【００７０】
上記の例においては、一次熱交換器２１が給湯用熱交換部２１ａ及び暖房用熱交換部２１ｂを有し、二次熱交換器２２が給湯用熱交換部２２ａ及び暖房用熱交換部２２ｂを有する場合について説明したが、一次熱交換器２１及び二次熱交換器２２は、暖房用熱交換部２１ｂ及び暖房用熱交換部２２ｂに代えて、例えば、風呂用の熱交換部を有していてもよい。
【００７１】
以下に、実施形態に係る温水暖房装置の効果を説明する。
図５に示されるように、二次熱交換器２２内において熱交換を行った燃焼ガスは、第１方向ＤＲ１に沿って開口２２ｄａへと向かう。他方で、図１０に示されるように、燃焼ガスは、流路２５ｂｆ内を第１方向ＤＲ１に交差する方向（第２方向ＤＲ２）に沿って流れる。すなわち、上壁２２ｄと仕切壁２２ｊとの間を通って開口２２ｄａへと向かう燃焼ガスは、その流れ方向が大きく変えられることになる。このような燃焼ガスの流れ方向の変化は、燃焼ガスに対する排気抵抗の増加の原因となる。
【００７２】
実施形態に係る温水暖房装置においては、開口２２ｄａの側壁２２ｆ側の縁と側壁２５ｂｂとの距離が、開口２２ｄａの側壁２２ｈ側の縁と側壁２５ｂｃとの距離よりも大きくなっている。そのため、実施形態に係る温水暖房装置においては、開口２２ｄａの側壁２２ｆ側の縁と流路２５ｂｆとの距離が、相対的に大きくなっている。
【００７３】
その結果、実施形態に係る温水暖房装置においては、開口２２ｄａを通過した燃焼ガスが流路２５ｂｆに至るまでの間に、燃焼ガスの流れ方向が相対的に緩やかに変化する。したがって、実施形態に係る温水暖房装置においては、燃焼ガスの流れ方向が大きく変わる場合であっても、燃焼ガスに対する排気抵抗の増加を抑制することができる。
【００７４】
実施形態に係る温水暖房装置において、上壁２２ｄが側壁２２ｈ側から側壁２２ｆ側へ向かうにしたがって下方に傾斜しており、かつ側壁２５ａｂの高さが側壁２５ａｄの高さよりも大きい場合、導入部２５ａの内部空間を相対的に大きく確保することができる。そのため、この場合、燃焼ガスに対する排気抵抗の増加をさらに抑制することができる。
【００７５】
流路２５ｂｆの断面積が、第１端２５ｂｄから第２端２５ｂｅへ向かって大きくなっている場合、第２端２５ｂｅ側に位置する熱交換部と熱交換を行った燃焼ガスに対する排気抵抗が相対的に小さくなる。そのため、実施形態に係る温水暖房装置において、第２方向ＤＲ２における幅が相対的に大きい給湯用熱交換部２２ａを第２端２５ｂｅに近い位置に配置することにより、全体としての排気抵抗をより小さくすることができる。
【００７６】
実施形態に係る温水暖房装置において、フランジ２６が設けられている場合、フランジ２６は、排気筒２７の取り付けのみならず、シスターン１の位置合わせにも用いることができるため、温水暖房装置の組立性を改善することができる。
【００７７】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００７８】
上記の実施形態は、温水暖房装置に特に有利に適用される。
【符号の説明】
【００７９】
１  シスターン、１ａ  上面、１ｂ  底面、１ｃ  側面、１ｄ  第１部分、１ｅ  第２部分、１ｆ  第３部分、１ｇ  補水口、１ｈ  排出口、１ｉ，１ｊ  接続口、２  燃焼ユニット、２１  一次熱交換器、２１ａ  給湯用熱交換部、２１ｂ  暖房用熱交換部、２２  二次熱交換器、２２ａ  給湯用熱交換部、２２ｂ  暖房用熱交換部、２２ｃ  筐体、２２ｄ  上壁、２２ｄａ  開口、２２ｅ  底壁、２２ｆ，２２ｇ，２２ｉ  側壁、２２ｈ  側壁、２２ｈａ  開口、２２ｊ  仕切壁、２３  バーナ、２４  排気部、２５  排気集合筒、２５ａ  導入部、２５ａａ  上壁、２５ａｂ  側壁、２５ａｃ  側壁、２５ａｄ  側壁、２５ａｅ  側壁、２５ａｆ  開口、２５ｂ  本体部、２５ｂａ  上壁、２５ｂｂ  側壁、２５ｂｃ  側壁、２５ｂｄ  第１端、２５ｂｅ  第２端、２５ｂｆ  流路、２６  フランジ、２７  排気筒、３  循環回路、３ａ，３ｂ，３ｃ，３ｄ，３ｅ，３ｆ  配管、３ｇ  ポンプ、４  給湯回路、４ａ，４ｂ  配管、５  補水配管、６  ドレイン配管、７ａ  低温暖房端末、７ｂ  高温暖房端末、１０  筐体、１０ａ  上壁、１０ｂ  底壁、１０ｃ  側壁、１０ｃａ  排気口、１０ｄ  側壁、１０ｅ  側壁、１０ｆ  側壁、ＤＲ１  第１方向、ＤＲ２  第２方向、Ｈ  高さ、Ｗ１，Ｗ２  幅。
【図１】
2019174066.tif 000003
【図２】
2019174066.tif 000004
【図３】
2019174066.tif 000005
【図４】
2019174066.tif 000006
【図５】
2019174066.tif 000007
【図６】
2019174066.tif 000008
【図７】
2019174066.tif 000009
【図８】
2019174066.tif 000010
【図９】
2019174066.tif 000011
【図１０】
2019174066.tif 000012
【図１１】
2019174066.tif 000013
【図１２】
2019174066.tif 000014
【図１３】
2019174066.tif 000015
【図１４】
2019174066.tif 000016